(57)【要約】【課題】構造が簡単で全体的な厚みを薄くすることができるにもかかわらず、ガラス板のエッジへの遊技球の衝突を回避することのできるガラスユニットの提供。【解決手段】パチンコ機１００のガラス扉１１３に着脱可能に保持されて遊技領域を視認可能に覆うガラスユニット２００であって、後ガラス板２０１ａと、前記後ガラス板２０１ａの前面の周縁部を縁取り状に支持する座部２０３と、前記座部２０３から後方に向かって立ち上がり前記後ガラス板２０１ａの周面を取り囲み前記後ガラス板２０１ａの後面から突出しない壁部２０４とを有する保持枠２０２とを備え、前記保持枠２０２は、当該ガラスユニット２００がパチンコ機１００に取り付けられた状態において、遊技球１０５が発射される発射レールの近傍に配置され、前記後ガラス板２０１ａの後面２１５より突出するように前記後壁部２０４ａから延設されるリブ２０５を備える。【選択図】図４
2007319268.tif 000002
【特許請求の範囲】
【請求項１】
パチンコ機のガラス扉に着脱可能に保持されて遊技領域を視認可能に覆うガラスユニットであって、
ガラス板と、
前記ガラス板における前面の周縁部を縁取り状に支持する座部と、前記座部から後方に向かって立ち上がり前記ガラス板の周面を取り囲み前記ガラス板の後面から突出しない壁部とを有する保持枠とを備え、
前記保持枠は、当該ガラスユニットがパチンコ機に取り付けられた状態において、遊技球が発射される発射レールの近傍に配置され、前記ガラス板の後面より突出するように前記壁部から延設されるリブを備えることを特徴とするガラスユニット。
【請求項２】
前記リブの突出端面は、外周縁が内周縁よりも後方に位置するように前記ガラス板の後面に対して傾斜されている請求項１に記載のガラスユニット。
【発明の詳細な説明】
【技術分野】
【０００１】
本発明はパチンコ機に着脱自在に保持されるガラスユニットに関する。
【背景技術】
【０００２】
従来、パチンコ機に設けられているガラス板は、パチンコ機に対し容易に交換可能とするなど、取り扱いを容易にするために保持枠に保持されたユニット状態で提供されている。
【０００３】
例えば、パチンコ機に適用されるガラスユニットの構造としては、特許文献１に開示されているように、ガラス板の周縁を挟持状に保持するための溝を樹脂製の保持枠の内周に設け、当該溝にガラス板をはめ込むものが存在している。
【０００４】
当該ガラスユニットには、遊技球の衝突に抗することのできる強化ガラスが採用されている。この強化ガラスは、ガラス板の面で遊技球の衝撃を受け止めたときには十分に抗することができるが、ガラス板のエッジに遊技球が衝突した場合、ガラス板が破損しやすくなるという性質を備えている。
【０００５】
従って、上記ガラスユニットは、ガラス板を溝にはめ込むことによって、ガラス板のエッジ部分を保護するような構造が採用されている。
【特許文献１】特開２００５−２９６３４６号公報
【発明の開示】
【発明が解決しようとする課題】
【０００６】
ところが、前記ガラス板を保持する溝を備えた保持枠を製造するには、寸法公差など厳格に定める必要が生じるなどの困難性が伴い、また、ガラス板の周縁全てに柔軟性のない保持枠を取り付けるには、保持枠を複数個に分割して組み立てる必要があり、面倒となるばかりか、ガラスユニット全体の強度が低下するという問題がある。また、当該保持枠はガラス板をはめ込むための溝が必要であるため、ガラス板の面よりも保持枠の一部が必ず突出すし、パチンコ機の奥行きスペースを無駄にするという問題がある。
【０００７】
一方、前記問題点を解決する保持枠として、樹脂の一体成形で得られた環状の保持枠の内側に、ガラス板の板厚と同程度の段差でガラス板がすっぽりと嵌り込む段差部を設け、接着剤でガラス板と固定される保持枠も存在している。
【０００８】
当該保持枠は、製作が容易で剛性も高く、少なくともガラス板の前面から突出しない構造を採用することが可能である。従って、このような保持枠を採用したガラスユニットは、パチンコ機の奥行きスペースを有効に活用することができ、また、大幅なコストダウンや軽量化を図ることができる利点がある。
【０００９】
しかし、当該保持枠の構造では、製造誤差や温度、経時的変化などにより保持枠よりもガラス板のエッジが突出することがあり、遊技球がガラス板のエッジに衝突してガラス板が破損してしまう状態を完全には回避することができない。
【００１０】
本発明は、上記問題に鑑みなされたものであり、パチンコ機の奥行きスペースを有効に活用することができるとともに、遊技球の衝突からガラス板のエッジを有効に保護することができるガラスユニットであって、さらに、構造が簡単で作成が容易な保持枠を備えたガラスユニットの提供を目的とする。
【課題を解決するための手段】
【００１１】
上記目的を達成するために、本発明に係るガラスユニットは、パチンコ機のガラス扉に着脱可能に保持されて遊技領域を視認可能に覆うガラスユニットであって、ガラス板と、前記ガラス板における前面の周縁部を縁取り状に支持する座部と、前記座部から後方に向かって立ち上がり前記ガラス板の周面を取り囲み前記ガラス板の後面から突出しない壁部とを有する保持枠とを備え、前記保持枠は、当該ガラスユニットがパチンコ機に取り付けられた状態において、遊技球が発射される発射レールの近傍に配置され、前記ガラス板の後面より突出するように前記壁部から延設されるリブを備えることを特徴とする。
【００１２】
これにより、ガラスユニット全体としては、厚みを薄く押さえることができると共に、遊技球の衝突が激しい発射レール近傍にはガラス板のエッジを保護するリブを備え、ガラスユニットに多少の誤差やずれが生じても有効にガラス板を保護することが可能となる。
【発明を実施するための最良の形態】
【００１３】
以下、本発明に係る実施の形態を図面に沿って説明する。
図１は、本実施形態に係るガラスユニットを保持するパチンコ機１００の正面方向から示す斜視図である。
【００１４】
同図に示されるように、パチンコ機１００は、外枠１１１と、前枠１１２と、ガラス扉１１３とを備えている。また、パチンコ機１００は、ガラス扉１１３の背部に遊技球１０５が転落する遊技盤１１４を備えている。なお、ガラスユニットは、ガラス扉１１３の背面に取り付けられているため、同図においてはガラス板２０１のみが示されている。
【００１５】
外枠１１１は、パチンコ機１００の各構成要素を保持するための基礎となる部材であり、矩形状の枠体となっている。また、外枠１１１は、パチンコホールなど設置されている台島に直接固定される部材であり、台島と外枠１１１のみとを固着することによりパチンコ機１００が台島に設置されることとなる。
【００１６】
前枠１１２は、遊技盤１１４や、各種制御基盤などが直接的に、また取り付け用部材を介して間接的に取り付けられる部材である。また、前枠１１２は、外枠１１１の前端面左側とヒンジ１０１を介して取り付けられており、外枠１１１に対して前枠１１２が回動可能となされている。すなわち、台島に設置されたパチンコ機１００の前枠１１２を回動すると、パチンコ機１００の背部を露出させることが可能となっている。
【００１７】
また、前枠１１２の前面下部には遊技球１０５を貯留するための上皿１１６や下皿１１７が設けられ、下皿１１７の右方には、遊技者が回転させることにより遊技球１０５の射出の可否を選択し、また、遊技球１０５の射出速度を変更するためのハンドル１１８が設けられている。
【００１８】
ガラス扉１１３は、前枠１１２の前面にヒンジ１０２を介して装着される部材である。このガラス扉１１３は円形孔状の窓部１０３を有し、当該窓部１０３を背面から覆うようにガラスユニットを保持できる構造となっている。
【００１９】
遊技盤１１４は、遊技球１０５が転落する遊技領域を形成するための木製や樹脂製の部材であり、遊技球１０５を複雑に転落させるための釘や、大当たりを判定するためのトリガーとなる始動口１１５や、大当たり遊技中に遊技球１０５を受け取るために開放される大入賞口１１９などの他、装飾図柄が表示される表示媒体１２１が取り付けられる部材である。
【００２０】
図２、図３は、ガラスユニット２００全体を示す斜視図、正面図、図４は、ガラスユニット２００の一部を詳細に示す断面図である。
【００２１】
これらの図に示すように、ガラスユニット２００は、一定の間隔を隔てて平行に配置された後ガラス板２０１ａと前ガラス板２０１ｂ、前記２枚のガラス板２０１を保持する樹脂製の保持枠２０２とで構成されている。
【００２２】
後ガラス板２０１ａは、ガラスユニット２００がパチンコ機１００に取り付けられた状態で、遊技盤１１４の前面を覆い、遊技領域を転落する遊技球１０５の飛び出しを規制すると共に、当該転落する遊技球１０５を遊技者に見えるようにするためのガラス製板状の部材であり、遊技球１０５の衝突に抗することのできる強化ガラスで構成されている。
【００２３】
前ガラス板２０１ｂは、後ガラス板２０１ａの前方に所定の間隔を隔てて平行に配置されている。これは、遊技球１０５の衝突などにより後ガラス板２０１ａが破損した場合でも他の前ガラス板２０１ｂでガラスの破片の飛散などを防止するなどのためである。
【００２４】
保持枠２０２は、環状の部材であり、後ガラス板２０１ａの前面２１６（図４参照）の周縁部を縁取り状に保持する座部２０３と、座部２０３から後方に立ち上がり、後ガラス板２０１ａの周面を取り囲む後壁部２０４ａと、後壁部２０４ａから延設されるリブ２０５とを一体に備えている。また、本実施形態の場合、保持枠２０２は、座部２０３から前方に立ち上がり、前ガラス板２０１ｂの周面を取り囲む前壁部２０４ｂを備えている。
【００２５】
座部２０３は、二枚のガラス板２０１を所定の間隔に隔てて支持するスペーサーとしての役割を担うと共に、接着剤によって二枚のガラス板２０１のそれぞれと固定される部分であり、ガラス板２０１の外周縁と同形状の環状で、断面略矩形となっている。また、図４に特に示されるように、座部２０３には環状の溝２０６が設けられている。この溝２０６は、ガラス板２０１と接合するための接着剤が充填される部分である。
【００２６】
後壁部２０４ａは、後ガラス板２０１ａの周囲を密着状態で囲い、後ガラス板２０１ａと保持枠２０２との面方向のずれを防止する部分である。また、後壁部２０４ａは、保持枠２０２に後ガラス板２０１ａに保持された状態において、座部２０３が当接している後ガラス板２０１ａの前面２１６と反対側の後面２１５よりも突出しないものとなっている。本実施形態の場合、後壁部２０４ａの端面と後ガラス板２０１ａの後面２１５とはほぼ面一となっている。なお、前壁部２０４ｂと前ガラス板２０１ｂとの関係も前記と同様である。
【００２７】
リブ２０５は、遊技領域に発射される遊技球１０５の衝突から後ガラス板２０１ａのエッジ２１４（図４参照）を保護する部分であり、後壁部２０４ａの一部から後ガラス板２０１ａの面と垂直方向に後方に延設されている。また、保持枠２０２に後ガラス板２０１ａが保持された状態において、後ガラス板２０１ａの後面２１５よりもリブ２０５は、突出するものとなっている。リブ２０５は、図２において保持枠２０２の下側部分、つまり、遊技球１０５が発射される後述の発射レール近傍にのみ設けられている。また、リブ２０５は、後ガラス板２０１ａのエッジ２１４を遊技球１０５の衝突から保護するものであるから、ガラスユニット２００がパチンコ機１００に取り付けられた状態において、遊技盤１１４側に位置する後壁部２０４ａにのみ設けられている。
【００２８】
また、リブ２０５の突出端部（後方端面）は、リブ２０５の外周縁が後ガラス板２０１ａが存在する側の内周縁よりも後方に位置するように後ガラス板２０１ａの後面２１５に対して傾斜する傾斜部２０９を備えている。
【００２９】
保持枠２０２はさらに、フランジ部２０７と、係止片２０８とを備えている。
フランジ部２０７は、ガラスユニット２００をガラス扉１１３に取り付ける際に、ガラスユニット２００の位置を規制する部分であり、壁部２０４の外周全体に外方に向いて突き出て一体に設けられた薄板環状の部分である。
【００３０】
係止片２０８は、フランジ部２０７からさらに外方に延設された舌片状の部分であり、係止片２０８がガラス扉１１３に挟持されることにより、ガラスユニット２００がガラス扉１１３に固定される。
【００３１】
図５は、ガラス扉１１３を開けて１８０度回動させた状態をガラス扉１１３とパチンコ機１００本体とを別々に並記した図であり、（ａ）は、ガラスユニット２００が取り付けられたガラス扉１１３の背面図、（ｂ）はガラス扉１１３が開いた状態のパチンコ機１００本体側を示す正面図である。
【００３２】
同図（ａ）に示すように、ガラスユニット２００は、ガラス扉１１３に設けられる窓部１０３を覆うように配置され、保持枠２０２の４箇所に設けられた係止片２０８がガラス扉１１３に回動自在に軸着された係止爪２１１とガラス扉１１３本体の間で挟持されることにより固定されている。
【００３３】
また、同図（ｂ）に示すように、発射レール２１２は、パチンコ機１００の下部のやや右寄りの位置に設けられる部材であり、発射鎚２１３の衝撃によって発射された遊技球１０５の発射方向を定め、誘導路２１３に遊技球１０５を導くための部材である。
【００３４】
以上に示すように、ガラス扉１１３を閉じた状態では、保持枠２０２の下部に設けられたリブ２０５は、発射レール２１２の近傍に配置されており、発射直後の遊技球１０５の衝突から後ガラス板２０１ａのエッジ２１４を保護している。
【００３５】
次に、ガラスユニット２００の組立動作を説明する。
図６は、ガラスユニット２００の組立状態を示す断面図であり、（ａ）は保持枠２０２に後ガラス板２０１ａをはめ込む直前を示し、（ｂ）は保持枠２０２に後ガラス板２０１ａがはめ込まれた状態を示している。
【００３６】
まず、同図に示すように、作業者は、後ガラス板２０１ａを両手で保持し後ガラス板２０１ａのエッジをリブ２０５の傾斜部２０９に当接させる。この段階において、リブ２０５は、後壁部２０４ａよりも突出しているため、両手が後壁部２０４ａに当たって邪魔になることはない（なお、図中破線Ｔは、後壁部２０４ａの上端面の位置を示している）。次に、後ガラス板２０１ａを保持する力を若干緩め傾斜部２０９の傾斜に従って後ガラス板２０１ａのエッジを滑らせれば、後ガラス板２０１ａはリブ２０５及び壁部２０４の形状に沿って落下する。最後に、後ガラス板２０１ａを持つ手を離せば、後ガラス板２０１ａは、環状の壁部２０４に嵌り込み、座部２０３に支持される。
【００３７】
以上のように、保持枠２０２の周方向において局部的にリブ２０５が突出成形されていることにより、後ガラス板２０１ａを持つ手が壁部２０４に邪魔されることなく、保持枠２０２と後ガラス板２０１ａとの位置あわせを容易に行うことが可能となる。さらに、リブ２０５の端面に傾斜部２０９が設けられているため、当該傾斜部２０９の傾斜に従って、保持枠２０２に後ガラス板２０１ａを容易にはめ込むことが可能となる。
【００３８】
以上の構成のガラスユニット２００によれば、所定の距離を隔てて平行に配置される二枚のガラス板２０１の全体の厚みとほぼ同程度の厚みの保持枠２０２で構成されているため、ガラスユニット２００がスペースを大きく占有することなく、パチンコ機１００の奥行きスペースを有効に活用することができる。しかも、遊技球１０５が後ガラス板２０１ａに最も強く衝突するであろう箇所、すなわち、発射レール２１２の近傍に、後ガラス板２０１ａのエッジ２１４を保護するリブ２０５を備えているため、可及的に後ガラス板２０１ａの破損を防止することが可能となる。
【００３９】
また、保持枠２０２の構造が簡単で、一体成形が可能であり、ガラスユニット２００の軽量化やコスト削減なども実現することが可能となる。
【００４０】
なお、本発明は、上記実施形態に限定されるものではなく、例えばリブ２０５の端面を後ガラス板２０１ａの面と平行な平面に変更する等、本発明の趣旨を逸脱しない範囲において様々な態様で実施可能である。
【産業上の利用可能性】
【００４１】
本発明は、パチンコ機など遊技球の移動をガラス板越しに視認しながら遊技し、前記遊技球がガラス板のエッジに衝突する可能性のある遊技機に利用できる。
【図面の簡単な説明】
【００４２】
【図１】ガラスユニットが備えられるパチンコ機を方向から示す斜視図。
【図２】ガラスユニットを示す斜視図。
【図３】ガラスユニットを示す正面図。
【図４】パチンコ機に取り付けられた状態のガラスユニットの一部を示す斜視図。
【図５】ガラス扉を開いた状態を分解して示す（ａ）背面図、（ｂ）正面図。
【図６】組立状態を模式的に示す断面図。
【符号の説明】
【００４３】
２００…ガラスユニット、２０１ａ…後ガラス板、２０２…保持枠、２０３…座部、２０４…壁部、２０５…リブ、２１２…発射レール、２１４…エッジ
【図１】
2007319268.tif 000003
【図２】
2007319268.tif 000004
【図３】
2007319268.tif 000005
【図４】
2007319268.tif 000006
【図５】
2007319268.tif 000007
【図６】
2007319268.tif 000008